(57)【要約】【課題】別部材が外付けされない場合も、外付けされる場合も同一の製造設備で安価に製造できる空調装置用送風ダクを提供することである。【解決手段】送風ダクト１０は空調装置の一部を成し、空調空気の流通路１１を区画する箱形状を持ち、所定のダクト部分２０にＣ字形状の易破断部２５で囲まれた回動蓋部２２が形成されている。回動蓋部２２は別部材が外付けされない場合は内部空間の気密を保つ。送風ダクトと同じ構成の送風ダクト４０は、別部材１１０が外付けされる場合、易破断部２５が破断され回動蓋部２２は回動して別部材の組付けのための挿入孔２６を提供する。【選択図】図１
2004216982.tif 000002
【特許請求の範囲】
【請求項１】
空調空気の流通路を区画する箱形状を持ち、所定のダクト部分にＣ字形状の易破断部で囲まれた回動蓋部が形成されていることを特徴とする空調装置用送風ダクト。
【請求項２】
前記易破断部は、前記ダクト部分の挿入孔に形成されたＣ字形状の被嵌合部と、回動蓋部に形成されたＣ字形状の嵌合部とを含む請求項１に記載の送風ダクト。
【請求項３】
前記回動蓋部に外力が加わったとき前記易破断部が破断し、該回動蓋部はヒンジ部の回りに回動する請求項１に記載の送風ダクト。
【請求項４】
外力は前記送風ダクトに外付けされる別部材の挿入部により加えられる請求項３に記載の送風ダクト。
【請求項５】
前記別部材はアスピレータである請求項４に記載の送風ダクト。
【請求項６】
前記別部材は分岐ダクトである請求項４に記載の送風ダクト。
【請求項７】
前記回動蓋部の近くに蒸発器及び／又はヒータコアが配置されている請求項５又は６に記載の送風ダクト。
【請求項８】
空調空気の流通路を区画する箱形状を持ち、所定のダクト部分に薄膜から成り所定形状の膜状蓋部が形成されていることを特徴とする空調装置用送風ダクト。
【請求項９】
前記膜状蓋部は外力が加わったとき破断する請求項８に記載の送風ダクト。
【請求項１０】
外力は前記送風ダクトに外付けされる別部材の挿入部により加えられる請求項９に記載の送風ダクト。
【請求項１１】
前記別部材はアスピレータである請求項１０に記載の送風ダクト。
【請求項１２】
前記別部材は、分岐ダクトである請求項１０に記載の送風ダクト。
【請求項１３】
前記離脱蓋部の近くに蒸発器及びヒータコアが配置されている請求項１１又は１２に記載の送風ダクト。
【発明の詳細な説明】
【０００１】
【発明の属する技術分野】
本発明は、空調装置の一部を成し、その内部空間を空調空気が流通する送風ダクトに関する。
【０００２】
【従来の技術】
例えば車両の空調装置では、図８に示すように（特許文献１参照）箱状の送風ダクト１００内に、冷却用熱交換器としての蒸発器１０２と、加熱用熱交換器としてのヒータコア１０４と、両者間のエアミックスドア１０６とが配置されている。蒸発器１０２により冷却された冷風及び／又はヒータコア１０４により加熱された温風が所定の吹出口（不図示）から車室内に吹き出される。
【０００３】
空調装置において、車室内の空気を取り込むために、送風ダクト１００に別部材としてアスピレータ１１０が外付けされる場合がある。アスピレータ１１０はベンチュリ管１１と、これに接続された吸入ノズル１１３及び筒状の挿入部１１５とを含み、ヒータコア１０４の下流側に配置されている。
【０００４】
アスピレータ１１０で送風ダクト１００内の空調空気の一部を排気することにより、車室からアスピレータ１１０に向かう空気流れを生じさせる。この空気流れを利用して、管路１２１の一端に配置した温度検出センサ１２２により車室内の空気の温度を検出する。検出結果は例えばヒータコアの上流側に配置され、冷風と温風との混合割合を変更するエアミックスドア１０６の回動量を制御するために利用される。
【０００５】
【特許文献１】
特開２００１−９７０３１
【０００６】
【発明が解決しようとする課題】
上記アスピレータ１１０を送風ダクト１００に取り付けるために、アスピレータ１１０には筒状の挿入部１１１が形成され、送風ダクト１００には挿入孔１０８が形成される。しかし、アスピレータ１１０は必要に応じて取り付けるものであり、アスピレータ１１０が取り付けられない送風ダクト１００もある。従来例では、アスピレータ１１０との関係において二種類の送風ダクト１００を製造することが必要となる。これでは送風ダクト１００の製造設備（例えば金型等）を二種類準備しなければならず、製造コストが上昇する。
【０００７】
本発明は上記事情に鑑みてなされたもので、アスピレータ等の別部材が外付けされない場合も、外付けされる場合も同一の製造設備によって製造でき、それによって製造コストが低減される空調装置用送風ダクトを提供することを目的とす
【０００８】
【課題を解決するための手段】
本願の発明者は、送風ダクトの一部に、別部材が外付けされないときは送風ダクトの内部空間を気密に保ち、外付けされるときは別部材のための挿入孔を提供する蓋部を形成することを思い付いて、本発明を完成した。
▲１▼本願の第１発明による空調装置用送風ダクトは、請求項１に記載したように、空調空気の流通路を区画する箱形状を持ち、所定のダクト部分にＣ字形状の易破断部で囲まれた回動蓋部が形成されていることを特徴とする。この送風ダクトにおいて、回動蓋部は別部材が外付けされないときは送風ダクトの内部空間を気密に保つと共に、外付けされるときは別部材によりＣ字形の易破断部が破断されて回動し、別部材を挿入するための挿入孔を提供する。
【０００９】
請求項２の送風ダクトは、請求項１において、易破断部はダクト部分の挿入孔に形成されたＣ字形状の被嵌合部と、回動蓋部に形成されたＣ字形状の嵌合部とを含む。請求項３の送風ダクトは、請求項１において、回動蓋部に外力が加わったとき前記易破断部が破断し回動蓋部はヒンジ部の回りに回動する。請求項４の送風ダクトは、請求項３において、外力は送風ダクトに外付けされる別部材の挿入部により加えられる。
【００１０】
請求項５の送風ダクトは、請求項４において別部材はスピレータであり、請求項６の送風ダクトは、請求項４において別部材は分岐ダクトである。請求項７の送風ダクトは、請求項５又は６において、回動蓋部の近くに蒸発器及び／又はヒータコアが配置されている。
▲２▼本願の第２発明による空調装置用送風ダクトは、請求項８に記載したように、空調空気の流通路を区画する箱形状を持ち、所定のダクト部分に薄膜から成り所定形状の膜状蓋部が形成されていることを特徴とする。この送風ダクトにおいて、膜状蓋部は別部材が外付けされないときは送風ダクトの内部空間を気密に保つと共に、外付けされるときは別部材により破断され、別部材を挿入するための挿入孔を提供する。
【００１１】
請求項９の送風ダクトは、請求項８において、膜状蓋部は外力が加わったとき破断する。請求項１０の送風ダクトは、請求項９において、外力は送風ダクトに外付けされる別部材の挿入部により加えられる。請求項１１の送風ダクトは、請求項１０において別部材はスピレータであり、請求項１２の送風ダクトは、請求項１０において別部材は分岐ダクトである。請求項１２の送風ダクトは、請求項１１又は１２において、膜状蓋部の近くに蒸発器及びヒータコアが配置されている。
【００１２】
【発明の実施の形態】
＜空調装置＞
本発明の空調装置は通常、送風ダクトと、その内部に配置された蒸発器（エバポレータ）及びヒータコアとを含む。但し、エバポレータ及び／又はヒータコアを含まない場合もある。
＜送風ダクト＞
▲１▼送風ダクトは生成された空調空気を吹出口に供給する管路である。箱状のダクト本体からなり、ダクト本体はその一部（ダクト部分）に形成された回動蓋部又は膜状蓋部と、その近傍のエバポレータ載置部や、ヒータコア載置部を備えることができる。
【００１３】
ダクト部分の場所や大きさは別部材の構成により決まり、ダクト本体の長手方向及び周方向において任意の場所に選定できる。長手方向では蒸発器及び／又はヒータコアの上流側、下流側又は両者の間に選定でき、周方向では上方壁部、下方壁部又は側方壁部に選定できる。
▲２▼蓋部
ダクト部分に形成される蓋部は、送風ダクトに別部材が外付けされない場合は送風ダクトの内部空間を気密に保つと共に、外付けされる場合はそのための挿入孔を提供する。蓋部には外力が加わると内部空間に向かって回動する回動蓋部（第１タイプ）と、加わる外力により破断する膜状蓋部（第２タイプ）との２つがある。
【００１４】
第１タイプの回動蓋部はＣ字形状（コ字形状も含む）の易破断部を形成することにより区画され、易破断部は嵌合部又は薄肉部で構成することができる。嵌合部はダクト部分に形成された円形孔又は矩形孔の内周縁に形成されたＣ字形溝、円形溝又は矩形溝と、回動蓋部又は離脱蓋部の外周縁に形成されＣ字形溝、円形溝等に嵌合するＣ字形状又は円形状等の突条とから成る。薄肉部はダクト部分の外面、内面又は内外両面に形成されたＣ字形状又は環状のくぼみから成る。
【００１５】
尚、Ｃ字形状又はコ字形状の易破断部の一端部と他端部との間に位置するヒンジ部は易破断部よりも大きく、蓋部以外の部分よりも小さな強度を持つ弱化部（例えば薄肉部）とすれば良い。後述する第１，第２及び第４実施例が第１タイプに対応する。
【００１６】
第２タイプの膜状蓋部はダクト部分に形成された所定形状（円形状又は矩形状）の薄膜から成る。後述する第３実施例が第２タイプに対応する。
【００１７】
尚、ダクト部分上における回動蓋部及び膜状蓋部の場所、大きさ等は別部材の構成との関係で決まる。
▲３▼案内部
ダクト部分には回動蓋部又は薄膜蓋部の周囲に、筒状の案内部を形成することができる。案内部は別部材の外付けを容易にしたり、送風ダクト内の空気通路の通気性を上げるもので、その内径は別部材の挿入部の外径よりも少し大きく、その高さは少し高くする。
＜別部材＞
別部材は送風ダクトに外付けされるもので、回動又は破断した蓋部の後に形成される挿入孔（円形孔又は矩形孔）に接続される。ここで別部材とは、アスピレータのような機能部材及び／又は分岐流通路を形成する分岐ダクトであり、蓋部の易破断部を破断し挿入孔に挿入される筒状の挿入部を有する。
【００１８】
【実施例】
以下、本発明の実施例を添付図面を参照しつつ説明する。
＜第１実施例＞
送風ダクト内に配置されるエバポレータやヒータコア等は必要に応じて前述の説明を援用し、以下では送風ダクトを中心に説明する。ここで、別部材はアスピレータである。
▲１▼空調装置がアスピレータを含まない場合
この場合、送風ダクトにアスピレータを外付けすることは不要である。図１及び図２に示すように、送風ダクトは箱状のダクト本体１０から成り、蒸発器１０２の載置部１２とヒータコア１０４の取付部１４とを備えている。取付部１２と１４との間のダクト部分２０に、Ｃ字形状の嵌合部（易破断部）２５が形成され、嵌合部２５で取り囲まれた部分が回動蓋部２２となっている。嵌合部２５はダクト部分２０の円形孔２６の内周縁に形成されたＣ字形溝２７と、円板状の回動蓋部２２の外周縁に形成されたＣ字形突条２３とから成る。嵌合部２５の一端と他端との間の薄肉部がヒンジ部２８を構成している。
【００１９】
Ｃ字形突条２３がＣ字形溝２７に嵌合し、回動蓋部２２が円形孔２６を塞いでダクト部分２０の一部を構成し、ダクト本体１０の内部空間１１を気密に保っている。よって、蒸発器１０２及びヒータコア１０４から吹出口に向かって内部空間１１を流れる空調空気がダクト部分２０の嵌合部２５を通して外部に漏れたり、外気が内部空間１１内に侵入する心配はない。
▲２▼空調装置がアスピレータを含む場合
この場合、図３に示すように、上記送風ダクト本体１０と同じ製造設備で製造され、同じ構成を持つダクト本体４０にアスピレータ１１０を外付けすることが必要である。前述したように、アスピレータ１１０（図８参照）はベンチュリ管１１１に接続された筒状の挿入部１１５を備えている。挿入部１１５の外径は嵌合部２５の内径よりも少し小さい。
【００２０】
アスピレータ１１０をダクト本体４０に外付けする際は、挿入部１１５でダクト部分２０の回動蓋部２２を押圧する。すると、挿入部１１５から加わる外力により回動蓋部２２のＣ字形突条２３が円形孔２６のＣ字形溝２７から外れる。その後、回動蓋部２２はヒンジ部２８の回りにダクト本体４０の内方（図３において上方）に回動し、ダクト部分２０の円形孔２６が開口する。
【００２１】
挿入部１１２を所定深さまで挿入し、所定の位置決め部材（不図示）によりアスピレータ１１０をダクト本体４０に対して所定状態で位置決めする。ダクト本体４０とアスピレータ１１０との間は、挿入部２６への挿入部１１５の挿入により気密に保たれる。アスピレータ１１０の設置により管路１１２（図８参照）を通してケース１２４内の空気が吸引される。
【００２２】
以上説明したように、本実施例では、蒸発器の載置部１２とヒータコアの載置部１４との間のダクト部分２０にＣ字形状の嵌合部２５で取り囲まれた回動蓋部２２を形成している。回動蓋部２２はアスピレータ１１０が外付けされないダクト本体１０ではダクト部分２０の一部を成して内部空間を気密に保つ。一方、アスピレータ１１０が外付けされるダクト本体４０では、ダクト部分２０にアスピレータ１１０のための挿入孔２６を提供する。
【００２３】
よって、同一の製造設備で製造され同一の構成を持つ２つのダクト本体１０及び４０の一方１０をアスピレータ１１０が外付けされない空調装置に、他方４０をアスピレータ１１０が外付けされる空調装置に使用することができる。
＜第２実施例＞
図４に示す第２実施例では、ダクト本体５０のダクト部分５１に形成された上記Ｃ字形状の嵌合部２５の周囲に更に案内部５２が形成されている点が異なる。案内部５２はダクト部分５１の円形孔２６の内周縁に沿って形成され、アスピレータ１１０の挿入部１１５の外径よりも少し大きい内径と所定高さとを持つ。
【００２４】
一方、アスピレータ１１０の挿入部１１５は根元側の大径部１１６と先端側の小径部１１７とを備え、その結果両者間に環状の段部１１８が形成されている。小径部１１７の外径は案内部５２の内径にほぼ等しい。高さは段部１１８が案内部５２の端面に当接したとき回動蓋部２２が確実に開くように選定されている。
【００２５】
アスピレータの組付け時、小径部１１７を案内部５２の内側に挿入すると、最終段階で小径部１１７の先端が回動蓋部２２を押圧する。外力を加えられた回動蓋部２２はＣ字形状の嵌合部２５が外れてヒンジ部２８の回りに内方に回動し、ダクト部分２０には円形状の挿入孔２６が形成される。
【００２６】
この第２実施例によれば、上記第１実施例の効果に加えて、ダクト部分５０に案内部５２を設け、アスピレータの挿入部を小径部１１７と大径部１１６とで構成したので、アスピレータ１１０のダクト本体５０への組付けが容易になるという特有の効果が得られる。
＜第３実施例＞
図５及び図６に示す第３実施例では上記第１実施例の回動蓋部２２に代えて、膜状蓋部６２を採用している。ダクト本体６０のダクト部分６１には他の部分よりも肉厚が薄い薄膜から成る円形状の膜状蓋部６２が形成されている。
【００２７】
アスピレータ１１０を組み付けないダクト本体６０では、膜状蓋部６２が内部空間を気密に保つ。これに対して、ダクト本体６０と同じ構成を持ちアスピレータ１１０を組み付けるダクト本体６０Ａでは、アスピレータ１１０の組付け時、挿入部１１５の小径部１１７が膜状蓋部６２を押す。すると、膜状蓋部６２は中心部分６４ａ又は外周部分６４ｂで破断し、挿入孔が提供される。
【００２８】
第３実施例によれば、膜状蓋部６２をダクト部分６１に取り付ける溝等の形成が不要であり、その分型の製造コストが低減できるという特有の効果が得られる。
＜第４実施例＞
第４実施例は送風ダクトに別部材としての分岐ダクトを組み付ける場合である。例えば、送風ダクト上のヒータコア１０２の近傍に吹出口を形成することが要請される場合は、ダクト本体７０のダクト部分７１に分岐ダクト８０を組み付ける。
【００２９】
図７に示すように、蒸発器１０２の載置部１２とヒータコア１０４の載置部１４との間に位置するダクト部分７１にはＣ字形状の嵌合部７５で取り囲まれた回動蓋部７２が形成されている。分岐ダクト８０が組み付けられないダクト本体７０では、回動蓋部７２が内部空間を気密に保ち、空調空気は所定の吹出口（不図示）から車室内に吹き出す。
【００３０】
分岐ダクト８０は、吹出口（不図示）を備え分岐通路８２を形成する本体部８３、ダクト部分７１に当接する当接部８５、及び回動蓋部７２を回動させる挿入部８６を含む。ダクト本体７０に分岐ダクト８０を組み付ける際、当接部８５をダクト部分７１に当接させ、挿入部８６で回動蓋部７２を押す。すると、回動蓋部７２のＣ字形突条７３がＣ字形溝７７から外れ、回動蓋部７２はヒンジ７８部の回りに内方に回動し、円形孔（不図示）が開口する。
【００３１】
その結果、ダクト本体７０の内部空間７８と分岐ダクト８０の分岐通路８２とが円形孔を通して連通される。そして、蒸発器１０２により冷却された冷風が分岐ダクト８０から車室に供給される。
【００３２】
第４実施例によれば、ダクト本体７０上の所望の位置に吹出口を形成し、空気通路の構成が異なる複数種類の送風ダクトを共用化できるという特有の効果が得られる。
【００３３】
【発明の効果】
以上述べてきたように、第１発明の空調装置用送風ダクトによれば、別部材が外付けされない場合、Ｃ字形状の易破断部で取り囲まれた回動蓋部が送風ダクトの内部空間を気密に保つ。また、第２発明の空調装置用送風ダクトによれば、別部材が外付けされない場合、膜状蓋部が送風ダクトの内部空間を気密に保つ。
【００３４】
請求項２の送風ダクトによれば、Ｃ字形状の易破断部が容易に実現できる。請求項３及び４、並びに請求項９及び１０の送風ダクトによれば、外力が作用したときは回動蓋部の易破断部及び膜状蓋部の薄膜が容易に破断し、別部材の外付けのための挿入孔を提供する。
【００３５】
請求項５及び１１の送風ダクトによれば、アスピレータにより車室から送風ダクトに向かう空気流れを生じさせることができる。請求項６及び１２の送風ダクトによれば、分岐ダクトにより所望の分岐流通路を設けることができる。
【図面の簡単な説明】
【図１】本発明の第１実施例において、別部材を外付けしない送風ダクト１０の要部を示す縦断面図である。
【図２】図１における２方向視図である。
【図３】第１実施例において、別部材を外付けした送風ダクトの要部４０を示す縦断面図である。
【図４】本発明の第２実施例において、別部材を外付けしない送風ダクト５０の要部を示す縦断面図である。
【図５】本発明の第３実施例において、別部材を外付けしない送風ダクト６０の要部を示す縦断面図である。
【図６】図５における要部拡大断面図である。
【図７】第４実施例において、別部材を外付けした送風ダクトの要部を示す縦断面図である。
【図８】従来例を示す縦断面図である。
【符号の説明】
１０：ダクト本体                    １１：内部空間
１２：エバポレータ載置部            １４：ヒータコア載置部
２０：ダクト部分                    ２２：回動蓋部
２３：Ｃ字形突条                    ２５：嵌合部
２６：円形孔                        ２７：Ｃ字形溝
６２：膜状蓋部                      １１０：アスピレータ
１１５：挿入部
【図１】
2004216982.tif 000003
【図２】
2004216982.tif 000004
【図３】
2004216982.tif 000005
【図４】
2004216982.tif 000006
【図５】
2004216982.tif 000007
【図６】
2004216982.tif 000008
【図７】
2004216982.tif 000009
【図８】
2004216982.tif 000010